(57)【要約】【課題】十分な流体透過性を有する一方それと同時に過度に大きな質量を有さない、マイクロ抽出のための吸着剤捕集材料、捕集器及びライナを提供する。【解決手段】捕集材料は、解析される物質のマイクロ抽出のためのポリオルガノシロキサンベースの吸着剤捕集材料であって、オープンセルフォーム構造を有する。【選択図】図３
2005338081.tif 000002
【特許請求の範囲】
【請求項１】
オープンセルフォーム構造を特徴とする、解析される物質のマイクロ抽出のためのポリオルガノシロキサンベースの吸着剤捕集材料。
【請求項２】
前記フォーム構造が、ポリジメチルシロキサンから成ることを特徴とする請求項１記載の捕集材料。
【請求項３】
前記フォームが柔らかいことを特徴とする請求項１又は２記載の捕集材料。
【請求項４】
前記フォームが、５％未満の低い水吸収能力を有することを特徴とする請求項１乃至３のうちいずれか一項に記載の捕集材料。
【請求項５】
前記フォームが、約０．１５から０．２５ｇ／ｃｍ3の相対密度を有することを特徴とする請求項１乃至４のうちいずれか一項に記載の捕集材料。
【請求項６】
前記フォームがドープ処理されていることを特徴とする請求項１乃至５のうちいずれか一項に記載の捕集材料。
【請求項７】
空隙率が、ガスが３０ｍｌ／分の量で通過するとき、１バール未満、特に０．８バール未満の圧力降下が結果として生じるようにして設定されていることを特徴とする請求項１乃至６のうちいずれか一項に記載の捕集材料。
【請求項８】
第１の吸着剤および／または吸収材料を有する層を備えた、解析される物質のマイクロ抽出および解析のための捕集器であって、その中にカプセル化された請求項１乃至７に記載の第２の吸着剤および／または吸収材料の充填物を備える受け空間が設けられており、前記第２の捕集材料が第１の材料とは異なる選択性を有し、前記層が、前記第２の材料によって吸着および／または吸収されることができる物質に対して透過性であり、前記充填物が、外部に対して少なくとも部分的にカバーされていることを特徴とする捕集器。
【請求項９】
前記層が、疎水性および／または疎油性であることを特徴とする請求項８記載の捕集器。
【請求項１０】
前記充填物が、前記層よりも解析される物質の高い揮発性の成分に対して高い選択性を有することを特徴とする請求項８又は９記載の捕集器。
【請求項１１】
前記層および前記充填物の材料が、異なる極性を有することを特徴とする請求項８乃至１０のうちいずれか一項に記載の捕集器。
【請求項１２】
前記充填物および前記層ために使用される前記第１および第２の材料の質量の比が、特定の用途に適合していることを特徴とする請求項８乃至１１のうちいずれか一項に記載の捕集器。
【請求項１３】
前記層および／または前記充填物が、解析される物質と化学的に反応する少なくとも１つの成分を含むことを特徴とする請求項８乃至１２のうちいずれか一項に記載の捕集器。
【請求項１４】
ロッドとして設計されていることを特徴とする請求項８乃至１３のうちいずれか一項に記載の捕集器。
【請求項１５】
前記層が、前記充填物を収容すると共に端部できつく閉鎖された可撓性のチューブを形成していることを特徴とする請求項１４記載の捕集器。
【請求項１６】
前記可撓性のチューブが、キャップまたはストッパによって閉鎖されていることを特徴とする請求項１５記載の捕集器。
【請求項１７】
磁性の攪拌器として設計されていることを特徴とする請求項１４乃至１６のうちいずれか一項に記載の捕集器。
【請求項１８】
前記ロッドがその端部に、磁性または磁化可能な材料を備えることを特徴とする請求項１７記載の捕集器。
【請求項１９】
前記充填物を備える可撓性のチューブとしてのロッドが、磁性または磁化可能な材料製の、キャップ、ストッパおよびインサートから成る群の端部部片をその端部に備えることを特徴とする請求項１８記載の捕集器。
【請求項２０】
前記層が、第１の吸着剤および／または吸収剤材料として、ポリエチレングリコール、オクタデシルトリクロロシラン、ポリメチルビニルクロロシラン、ＬＤＰＥ（低密度ポリエチレン）およびポリイミドから成る群から選択された材料を使用して形成されることを特徴とする請求項８乃至１９のうちいずれか一項に記載の捕集器。
【請求項２１】
前記層が、解析される物質に対して選択性である膜を形成していることを特徴とする請求項８乃至２０のうちいずれか一項に記載の捕集器。
【請求項２２】
捕集材料のパッキングを含む管状の、ガス透過性のライナとして設計されていることを特徴とする請求項８記載の捕集器。
【請求項２３】
前記パッキングが、段差付きの孔の大直径領域内に配置されていることを特徴とする請求項２２記載の捕集器。
【請求項２４】
前記段差付きの孔が、異なる直径の領域の間に、ショルダによって形成された円錐形の移行領域を有することを特徴とする請求項２３記載の捕集器。
【請求項２５】
前記移行領域もまた、前記パッキングによって充填されていることを特徴とする請求項２４記載の捕集器。
【請求項２６】
請求項１乃至７に記載の捕集材料のプラグが、チューブ内の相分離フィルタとして配置されていることを特徴とする液体試料をクロマトグラフィ解析システムに追加するための管状のライナ。
【発明の詳細な説明】
【技術分野】
【０００１】
本発明は、解析される物質のマイクロ抽出のためのポリオルガノシロキサンベースの吸着剤捕集材料に関する。
【背景技術】
【０００２】
たとえば、搬送ガスがそれを通って流れることができるライナとして知られている、交換可能な管状の試料容器の形態で、解析される物質のマイクロ抽出およびそれに続く解析のために捕集器を使用することは、クロマトグラフィ、特にガスクロマトグラフィで公知である。これらのライナは、解析される物質を受けるための吸着剤および／または吸収剤材料の層または充填物を備える。これらは、そこで物質が脱着され（適切な場合熱的手段によって）、解析される、クロマトグラフィシステム内に次に導入されるように、外部の液体および／または気体から解析される物質を取り込むまたは濃縮する捕集器であってもよい。しかし、捕集器は、クロマトグラフィシステム内の吸収トラップまたは低温トラップであってもよい。溶媒が、脱着の目的のために捕集器の周囲をまたは捕集器を通って流れる。
【０００３】
吸着剤および／または吸収剤材料の内部被覆を有する小さなチューブの形態の捕集器を設計することは、公知である。しかし、この内部被覆は、比較的低い取込能力を有する。
この低い取込能力は、吸着剤／または吸収剤材料の粒状充填物を提供することによって改善される。このタイプの充填物は、吸収を可能にする場合、ポリオルガノシロキサンでそうであるように、十分に大きな質量を、または要求されたものに対して大きすぎる質量さえも与える。しかし、一様な粒子サイズを備える充填材料を作成することは困難である。捕集器内では、このことが、少なくとも脱着中に必要である、流体の通過に対する異なる流れ抵抗に至り、詰まることさえもある。比較的大きい質量は、対応する「ブリーディング」によって作成される強いバックグラウンドのため、一般にクロマトグラムに不利な影響を有する。
【発明の開示】
【発明が解決しようとする課題】
【０００４】
十分な流体透過性を有する一方それと同時に過度に大きな質量を有さない、マイクロ抽出のための吸着剤捕集材料を提供することが、本発明の目的である。
【課題を解決するための手段】
【０００５】
この目的を達成するため、本発明のうち請求項１に係る捕集材料は、オープンセルフォーム構造を特徴とする、解析される物質のマイクロ抽出のためのポリオルガノシロキサンベースの吸着剤捕集材料である。
また、本発明のうち請求項２に係る捕集材料は、請求項１記載の捕集材料において、前記フォーム構造が、ポリジメチルシロキサンから成ることを特徴としている。
【０００６】
本発明のうち請求項３に係る捕集材料は、請求項１又は２記載の捕集材料において、前記フォームが柔らかいことを特徴としている。
本発明のうち請求項４に係る捕集材料は、請求項１乃至３のうちいずれか一項に記載の捕集材料において、前記フォームが、５％未満の低い水吸収能力を有することを特徴としている。
本発明のうち請求項５に係る捕集材料は、請求項１乃至４のうちいずれか一項に記載の捕集材料において、前記フォームが、約０．１５から０．２５ｇ／ｃｍ3の相対密度を有することを特徴としている。
【０００７】
本発明のうち請求項６に係る捕集材料は、請求項１乃至５のうちいずれか一項に記載の捕集材料において、前記フォームがドープ処理されていることを特徴としている。
本発明のうち請求項７に係る捕集材料は、請求項１乃至６のうちいずれか一項に記載の捕集材料において、空隙率が、ガスが３０ｍｌ／分の量で通過するとき、１バール未満、特に０．８バール未満の圧力降下が結果として生じるようにして設定されていることを特徴としている。
【０００８】
また、本発明のうち請求項８に係る捕集器は、第１の吸着剤および／または吸収材料を有する層を備えた、解析される物質のマイクロ抽出および解析のための捕集器であって、その中にカプセル化された請求項１乃至７に記載の第２の吸着剤および／または吸収材料の充填物を備える受け空間が設けられており、前記第２の捕集材料が第１の材料とは異なる選択性を有し、前記層が、前記第２の材料によって吸着および／または吸収されることができる物質に対して透過性であり、前記充填物が、外部に対して少なくとも部分的にカバーされていることを特徴としている。
【０００９】
本発明のうち請求項９に係る捕集器は、請求項８記載の捕集器において、前記層が、疎水性および／または疎油性であることを特徴としている。
本発明のうち請求項１０に係る捕集器は、請求項８又は９記載の捕集器において、前記充填物が、前記層よりも解析される物質の高い揮発性の成分に対して高い選択性を有することを特徴としている。
【００１０】
本発明のうち請求項１１に係る捕集器は、請求項８乃至１０のうちいずれか一項に記載の捕集器において、前記層および前記充填物の材料が、異なる極性を有することを特徴としている。
本発明のうち請求項１２に係る捕集器は、請求項８乃至１１のうちいずれか一項に記載の捕集器において、前記充填物および前記層ために使用される前記第１および第２の材料の質量の比が、特定の用途に適合していることを特徴としている。
【００１１】
本発明のうち請求項１３に係る捕集器は、請求項８乃至１２のうちいずれか一項に記載の捕集器において、前記層および／または前記充填物が、解析される物質と化学的に反応する少なくとも１つの成分を含むことを特徴としている。
本発明のうち請求項１４に係る捕集器は、請求項８乃至１３のうちいずれか一項に記載の捕集器において、ロッドとして設計されていることを特徴としている。
【００１２】
本発明のうち請求項１５に係る捕集器は、請求項１４記載の捕集器において、前記層が、前記充填物を収容すると共に端部できつく閉鎖された可撓性のチューブを形成していることを特徴としている。
本発明のうち請求項１６に係る捕集器は、請求項１５記載の捕集器において、前記可撓性のチューブが、キャップまたはストッパによって閉鎖されていることを特徴としている。
【００１３】
本発明のうち請求項１７に係る捕集器は、請求項１４乃至１６のうちいずれか一項に記載の捕集器において、磁性の攪拌器として設計されていることを特徴としている。
本発明のうち請求項１８に係る捕集器は、請求項１７記載の捕集器において、前記ロッドがその端部に、磁性または磁化可能な材料を備えることを特徴としている。
本発明のうち請求項１９に係る捕集器は、請求項１８記載の捕集器において、前記充填物を備える可撓性のチューブとしてのロッドが、磁性または磁化可能な材料製の、キャップ、ストッパおよびインサートから成る群の端部部片をその端部に備えることを特徴としている。
【００１４】
本発明のうち請求項２０に係る捕集器は、請求項８乃至１９のうちいずれか一項に記載の捕集器において、前記層が、第１の吸着剤および／または吸収剤材料として、ポリエチレングリコール、オクタデシルトリクロロシラン、ポリメチルビニルクロロシラン、ＬＤＰＥ（低密度ポリエチレン）およびポリイミドから成る群から選択された材料を使用して形成されることを特徴としている。
【００１５】
本発明のうち請求項２１に係る捕集器は、請求項８乃至２０のうちいずれか一項に記載の捕集器において、前記層が、解析される物質に対して選択性である膜を形成していることを特徴としている。
本発明のうち請求項２２に係る捕集器は、請求項８記載の捕集器において、捕集材料のパッキングを含む管状の、ガス透過性のライナとして設計されていることを特徴としている。
【００１６】
本発明のうち請求項２３に係る捕集器は、請求項２２記載の捕集器において、前記パッキングが、段差付きの孔の大直径領域内に配置されていることを特徴としている。
本発明のうち請求項２４に係る捕集器は、請求項２３記載の捕集器において、前記段差付きの孔が、異なる直径の領域の間に、ショルダによって形成された円錐形の移行領域を有することを特徴としている。
【００１７】
また、本発明のうち請求項２５に係る捕集器は、請求項２４記載の捕集器において、前記移行領域もまた、前記パッキングによって充填されていることを特徴としている。
更に、本発明のうち請求項２６に係るライナは、請求項１乃至７に記載の捕集材料のプラグが、チューブ内の相分離フィルタとして配置されていることを特徴とする液体試料をクロマトグラフィ解析システムに追加するための管状のライナである。
即ち、本発明の目的は、オープンセルフォーム構造を有するポリオルガノシロキサンベースの吸着剤捕集材料によって達成される。
【００１８】
このことは、一方では、解析される物質を含んでいる流体または搬送流体の通過中の迅速な活性質量の移動に至り、また受け入れ可能な、すなわち過度でない圧力降下を生成する極めて大きな吸収表面を提供し、したがって、特にこのタイプのフォームが、その構造およびその相対密度の点で極めて目標を定めた方式で作成されることができるため、粒子形態の対応するフィルタ材料と比較して吸収品質がかなり改善される。また、フォーム材料の個々の物質との平衡反応が、すでに公知でない場合、容易に決定されることができる。さらに、このタイプのフォーム材料は、約−７０℃から約＋４００℃の極めて広い温度範囲で使用されることができ、その比較的小さい質量のため、「ブリーディング」を通じてクロマトグラムに小さい寄与しかしない、すなわち、フォーム材料自体のクロマトグラムは、さらに計算可能である少量にまで次第に薄められなければならない。解析される物質の濃縮は、粒子形態の捕集材料よりも再現可能である。広い温度使用範囲のため、捕集材料は、特にクロマトグラフィ濃縮トラップ内で、また特に低温トラップ内、またクロマトグラフィの低温使用システムおよび／または熱脱離システムのための捕集器内で使用されることができる。
【００１９】
捕集材料の空隙率は、ガスクロマトグラフィで慣例である３０ｍｌ／分の量でガスが流れるとき、結果として、１バール未満、特に０．８バール未満の圧力降下となるようにすると都合がよい。
捕集材料は、いかなる形態にも容易に変換されることができ、たとえば小さなチューブまたは可撓性のホースの形態で、ケーシング内に容易に導入されることができ、オープンセル構造のため、ガスまたは液体がそれを通って自由に流れることができるように、好都合には柔らかい。捕集材料は、好ましくは約０．１５から０．２５ｇ／ｃｍ3の相対密度、また一般に５％未満の低い水吸収能力を有する。
【００２０】
捕集材料は、たとえば顔料などの濾過材料で充填されてもよい、また、解析される物質と化学的に反応する少なくとも１つの成分でドープ処理されてもよい。そのプロセス中、反応生成物の開始物質ではなく反応生成物のみが、クロマトグラフィによって検出されることができる場合、反応生成物が吸着または吸収される。この適用例のある例は、ペンタフルオロベンジルヒドロキシルアミンを含浸された材料でのアルデヒドおよびケトンの抽出である。この場合、当該成分のカルボニル作用が、吸着され、熱的に脱着され、クロマトグラフィによって解析されることができる典型的な揮発性の反応生成物を形成する。他の例は、アシル化によるフェノールとアミンの誘導体化、チオールの誘導体化および酸化エチレンの臭化水素との反応を含む。たとえばカバー層は多層構造であってもよく、この場合、個々の層は少なくとも１つの化学的に反応する成分を含む。
【００２１】
オープンセルフォーム形態のポリジメチルシロキサンが、捕集材料に特に適している。
たとえばライナの形態の捕集器は、その中にカプセル化されたオープンセル捕集材料の充填物を備える受け空間を特に有してもよく、前記充填物は、層によって少なくとも部分的に外部に対してカバーされ、前記充填物および前記層は、異なる吸着剤および／または吸収剤材料から成り、したがって、解析される物質に対する異なる選択性を有し、前記層は、充填物のオープンセル捕集材料によって吸着および／または吸収されることができる物質に対して透過性である。このことは、一方では、解析される物質に対する取込スペクトルの増加を結果として生じさせ、他方では、オープンセル捕集材料が外部空間と接触しておらず、したがって、外部空間から取り込んだいかなる物質も解放しないため、全取込スペクトルにわたる量的な解析を可能にする。それどころか、これらの物質は、たとえば熱脱着によって、カバー層の材料によって取り込まれた物質とともに、クロマトグラフィ内で脱着されることができ、したがって視覚的に妨害されない量的解析が可能にされる。カプセル化は、オープンセル捕集材料によって取り込まれた物質が再び外部へ解放されることができないように、気密な閉鎖を確実にする。
【００２２】
特に、カバー層は、カプセル化によって、充填物が、水または油または脂肪と接触しないように、疎水性および／または疎油性である。
カバー層は、選択的な、半透膜として作用するように設計されてもよい。あた、カバー層は、互いに混合されて、または複数の層で構成された異なる吸着剤および／または吸収剤材料から形成されてもよい。
カバー層のための適切な材料の例は、ポリエチレングリコール、オクタデシルトリクロロシラン、ポリメチルビニルクロロシラン、ポリアクリレート、ＬＤＰＥ（低密度ポリエチレン）またはポリイミドを含む。
充填物およびカバー層のための材料の異なる選択は、解析される物質の揮発性および／または極性に関してもよい。これらの材料は、適宜選択されることになる。
【発明の効果】
【００２３】
本発明に係る捕集材料、捕集器及びライナによれば、十分な流体透過性を有する一方それと同時に過度に大きな質量を有さない、マイクロ抽出のための吸着剤捕集材料、この捕集材料を備えた捕集器及びライナを提供できる。
【発明を実施するための最良の形態】
【００２４】
本発明のさらなる実施形態が、以下の説明から得られる。
本発明を、添付の図面に示した例示的な実施形態とともに以下でより詳細に説明する。
図１および図２に示した捕集器の実施形態では、捕集器は、その受け空間２を外部に対してカバーし、きつく密閉する層４によって容器１内にカプセル化された充填物３で充填された受け空間２を有する、たとえばガラス、金属またはプラスチック材料製の桶様の容器１である。層４は、第１の吸着剤および／または吸収剤材料から成り、充填物３は、オープンセルフォーム構造を有し、第１の材料とは異なる選択性を有するポリオルガノシロキサンベースの第２の吸着剤および／または吸収剤捕集材料から成る。
【００２５】
図示した容器１は、ほぼロッドの形態であるが、他の形態をとってもよい。たとえば、上から見たとき丸みを帯びていてもよい。図２の平面に対して垂直にとった断面は、たとえば矩形、半円形、部分的に楕円形など同様に様々であってよい。
また、逆の構成では、層４の代わりに板が搬送材料から形成されること、および図１および２に示した実施形態で容器１を形成している部分が、第１の材料から作製され、したがって比較的大きな領域にわたって充填物３を覆う層４を形成することも可能である。板は、捕集器が、磁性の攪拌器として使用されることができるように、または捕集の目的のために磁気ホルダに取り付けられることができるように、磁性のまたは磁化可能な材料から成ってもよい。しかし、この目的のために、充填剤に加えて、磁石たとえば棒磁石が、受け空間２内に挿入されること、または捕集器の外側に接着されることも可能である。
【００２６】
図３乃至図５に示す実施形態では、層４は、その内部が充填物３のための受け空間２を形成する可撓性のチューブを形成する。
図３では、可撓性のチューブが、その端部のそれぞれでストッパ５によってきつく閉鎖されている。ストッパ５は、たとえば定位置に接着されている。ストッパ５は、可撓性のチューブと同じ材料、またはガラス、金属またはプラスチックなどの様々な材料から成ってもよい。磁性のまたは磁化可能な材料製のストッパ５が使用されている場合、捕集器は、磁性の攪拌器として使用されることができる、または磁性のホルダに取り付けられることができる。
【００２７】
図４では、可撓性のチューブが、その端部のそれぞれでキャップ６によってきつく閉鎖されている。キャップ６は、可撓性のチューブと同じ材料、またはガラス、金属またはプラスチックなどの様々な材料から成ってもよい。磁性のまたは磁化可能な材料のキャップ６が使用されている場合、捕集器は、磁性の攪拌器として使用されることができる、または磁性のホルダに取り付けられることができる。
【００２８】
図５に示す実施形態では、磁性のまたは磁化可能な材料のインサート７が、磁性の攪拌器として使用されることまたは磁性のホルダに取り付けられることを可能にするために、キャップ６に隣接して、端部で可撓性のチューブに追加で嵌合されている。ストッパ５が可撓性のチューブを閉鎖するために使用されている場合、インサート７がチューブ内に、好ましくはストッパ５と隣接して配置されることも可能である。
【００２９】
図６に示すライナの実施形態は、チューブ８を備える。チューブはガラス、金属またはプラスチック材料から成ってもよく、コンベアヘッド１０のＯリング９を用いて保持されている。チューブ８内に、オープンセルのポリオルガノシロキサンフォームのパッキング１１がある。コンベアヘッドは、それを用いて、ガスクロマトグラフィのフィーダーデバイス内に密封するように嵌合されることができるシール１２を有し、この場合、ライナの内部への搬送ガスの供給のための孔１３が、シール１２の間で開いている。
【００３０】
適切な場合、ライナは、流れる搬送ガスによってパッキング１１に及ぼされる力に対してパッキング１１をチューブ８内の定位置に保持する保持手段（図示せず）を有してもよい。これらの保持手段は、たとえば、チューブ８の排出端部の切欠き、すなわち幅狭部分８ａ、またはチューブ８の排出口に嵌合されたガラスフリットなどであってもよい。しかし、パッキング１１もまた、追加の保持手段を設ける必要なく、チューブ８内に導入されるときにわずかに圧縮されるフォームの締結力によって保持されてもよい。
【００３１】
図７に示す実施形態では、外部の円筒形ライナが、ショルダ１５の形成の結果としての段差付き連続孔１４を備え、パッキング１１は、より大きな直径を有する孔１４の領域内に収容されている。
パッキング１１はまた、ショルダ１５によって画定された空間にも嵌合するようにして形成されてもよい。このことは、小滴の形成がショルダ１５全体で生じることがあるデッドスペースなしで、ショルダ１５に向かう、すなわちより小さい直径の孔１４の領域に向かう方向に、たとえばポンピングによって、水が引き出されるという利点を有する。その後、パッキングは低い温度で乾燥されることができ、その後最初に、解析される物質を脱着させるために加熱が行われ、搬送ガスが反対方向に通される。
もちろん、パッキング１１を保持するための保持手段が、図７に示す実施形態に設けられてもよい。
【００３２】
また、追加される液体の試料が固体の粒子を含んでいる、ある適用例では、試料が、図８に示すように、試料液体に対して透過性であるが、固体粒子を保持するポリオルガノシロキサンフォームのプラグ１６を含むライナを介して、たとえば注射器を用いて追加されることが好都合である。プラグ１６は、そのとき、相分離フィルタとして働く。このことは、試料内に含まれ、濾過中に除去される物質が、プラグ１６によって少なくとも部分的に保持されているときでさえも、穏やかな温度で後の段階で再び脱着されることができ、したがって同様に解析のために使用可能であり、解析システムに試料が追加される前の試料の濾過に利点を有する。適切な場合、適切な質量のポリオルガノシロキサンフォームのプラグ１６が与えられれば、試料からある物質を故意に濃縮することも可能である。したがって、これらの適用例では、プラグ１６は、解析結果がそれによって全然歪曲されないため、かなり不活性のフィルタを呈する。
【００３３】
本発明による捕集材料はまた、顕著に不活性化されることなく、この解析の目的のためにそこから有機物質を取り込むまたは濃縮するために、たとえば注射器またはポンプを介して液体水を注入されることにも適している。
また、捕集材料は、たとえば２つのクロマトグラフィカラムの間での、ＶＯＣ（揮発性有機化合物）トラップのために使用されてもよい。
【図面の簡単な説明】
【００３４】
【図１】捕集器の実施形態の平面図である。
【図２】捕集器の実施形態の断面図である。
【図３】捕集器の別の実施形態の断面図である。
【図４】捕集器の他の実施形態の断面図である。
【図５】捕集器のもう一つ別の実施形態の断面図である。
【図６】ライナの実施形態の断面図である。
【図７】ライナの他の実施形態の断面図である。
【図８】ライナの別の実施形態の断面図である。
【符号の説明】
【００３５】
１  容器
２  受け空間
３  充填物
４  層
５  ストッパ
６  キャップ
７  インサート
８  チューブ
８ａ  幅狭部分
９  Ｏリング
１０  コンベアヘッド
１１  パッキング
１２  シール
１３  孔
１４  連続孔
１５  ショルダ
１６  プラグ
【図２】
2005338081.tif 000003
【図３】
2005338081.tif 000004
【図４】
2005338081.tif 000005
【図５】
2005338081.tif 000006
【図６】
2005338081.tif 000007
【図７】
2005338081.tif 000008
【図８】
2005338081.tif 000009
【図１】
2005338081.tif 000010